(57)【要約】      （修正有）【課題】非磁性体からなる平滑な壁面に対しても、壁面を汚すことなく、容易に脱着できる、小物入れを提供する。【解決手段】吸着面２が形成された後面部４と、後面部と反対の方向を向き収納部６を有する前面部８と、を備える小物入れ１００であって、吸着面は、吸着性アクリル樹脂からなる。吸着性アクリル樹脂の表面は、独立した微細な凹凸（微細な吸盤構造）を有する。加圧されると、凹凸面から空気が追い出され、高い強度で平滑面上に吸着保持される。【選択図】図１
0003186725.tif 000002
【実用新案登録請求の範囲】
【請求項１】
吸着面が形成された後面部と、
前記後面部と反対の方向を向き収納部を有する前面部と、
を備える小物入れであって、
前記吸着面は、吸着性アクリル樹脂からなることにより平滑面に脱着可能となっている、
小物入れ。
【請求項２】
第１主面と、前記第１主面と反対の方向を向く第２主面と、を有する矩形のシート部材と、
前記第２主面上に形成された収納部と、を備え、
前記第１主面に吸着面が形成され、
前記吸着面は、吸着性アクリル樹脂からなることにより平滑面に脱着可能となっており、
前記収納部は、
上方が解放された扁平な略直方体形状の収納空間を構成し、
前記扁平な略直方体形状の厚さは５ミリメートル以上３センチメートル以下であり、
前記収納部は、
前記収納空間の後面側が前記矩形のシート部材の全部または一部により区画され、
前記収納空間の左側面側がプラスチックからなる柔軟な帯状の左側面シートにより区画され、
前記収納空間の底面側がプラスチックからなる柔軟な帯状の底面シートにより区画され、
前記収納空間の右側面側がプラスチックからなる柔軟な帯状の右側面シートにより区画され、
前記収納空間の前面側が透明なプラスチックからなる柔軟な矩形の主面シートにより区画され、
前記帯状の左側面シートと前記帯状の右側面シートと前記帯状の底面シートとは、それぞれ、長手方向に沿って延びる折り目を有し、
前記折り目に沿って折り畳まれることにより前記主面シートが前記シート部材に近接し、
前記折り目に沿って伸ばされることにより前記主面シートと前記シート部材とが離間して小物を収納可能となる、ように構成されている、
小物入れ。
【請求項３】
前記左側面シートの上端部、および、前記右側面シートの上端部に、それぞれ、半円形の欠け部が形成されている、請求項２に記載の小物入れ。
【請求項４】
さらに、前記主面シートの外側面に副収納部を備え、
前記副収納部は、
前記主面シートよりも上下幅の小さい帯状の透明なプラスチックからなる副主面シートを備え、
前記副主面シートの左側端部と下側端部と右側端部とが前記主面シートと接続されている、
請求項２または３に記載の小物入れ。
【考案の詳細な説明】
【技術分野】
【０００１】
本考案は、小物入れに関し、より詳しくは壁面に脱着可能な物入れに関する。
【背景技術】
【０００２】
特許文献１は、冷蔵庫の壁面等にタオル掛けや小物入れ等の物品を支持する場合、両面粘着テープや磁石を用いる方法を開示する。
【先行技術文献】
【特許文献】
【０００３】
【特許文献１】実開平７−００６７９６号公報
【考案の概要】
【考案が解決しようとする課題】
【０００４】
しかしながら、両面粘着テープを用いる方法では、取り付けた後に取り外すのが面倒である。また、取り外した後に壁面に粘着剤が残って見苦しい場合がある。磁石を用いる方法では、磁石がくっつく壁面（磁性体からなる壁面）には取り付けることができても、磁石がくっつかない壁面（非磁性体からなる壁面）には取り付けることができない。
【０００５】
本考案は上記のような課題を解決するためになされたもので、非磁性体からなる壁面に対しても、該壁面を汚すことなく、容易に脱着できる、小物入れを提供することを目的とする。
【課題を解決するための手段】
【０００６】
上記課題を解決すべく、本考案の小物入れは、吸着面が形成された後面部と、前記後面部と反対の方向を向き収納部を有する前面部と、を備える小物入れであって、前記吸着面は、吸着性アクリル樹脂からなることにより平滑面に脱着可能となっている。
【０００７】
かかる構成では、非磁性体からなる壁面に対しても、該壁面を汚すことなく、容易に脱着できる、小物入れを提供できる。
【０００８】
本考案の小物入れは、第１主面と、前記第１主面と反対の方向を向く第２主面と、を有する矩形のシート部材と、前記第２主面上に形成された収納部と、を備え、前記第１主面に吸着面が形成され、前記吸着面は、吸着性アクリル樹脂からなることにより平滑面に脱着可能となっており、前記収納部は、上方が解放された扁平な略直方体形状の収納空間を構成し、前記扁平な略直方体形状の厚さは５ミリメートル以上３センチメートル以下であり、前記収納部は、前記収納空間の後面側が前記矩形のシート部材の全部または一部により区画され、前記収納空間の左側面側がプラスチックからなる柔軟な帯状の左側面シートにより区画され、前記収納空間の底面側がプラスチックからなる柔軟な帯状の底面シートにより区画され、前記収納空間の右側面側がプラスチックからなる柔軟な帯状の右側面シートにより区画され、前記収納空間の前面側が透明なプラスチックからなる柔軟な矩形の主面シートにより区画され、前記帯状の左側面シートと前記帯状の右側面シートと前記帯状の底面シートとは、それぞれ、長手方向に沿って延びる折り目を有し、前記折り目に沿って折り畳まれることにより前記主面シートが前記シート部材に近接し、前記折り目に沿って伸ばされることにより前記主面シートと前記シート部材とが離間して小物を収納可能となる、ように構成されていてもよい。
【０００９】
かかる構成でも、非磁性体からなる壁面に対しても、該壁面を汚すことなく、容易に脱着できる、小物入れを提供できる。また、収納部が平面視において矩形であるため、レシートやクーポン券などを効率的に収納できる。収納部の主面は、透明なプラスチックシートで構成されているため、中身を容易に視認できる。収納部は、ある程度の厚みと柔軟性があるため、レシート、公共料金の領収書、クーポン券、はがき、鷹の爪、胡麻、鰹節などの袋入り調味料、持ち帰り寿司に付属するパック入りのショウガ、たれびん入りの醤油、お吸い物やお茶漬け、ティーバッグ、自転車の鍵、付箋、メモ帳などを効率的に収納できる。収納部を折り目に沿って折り畳むことで、運搬時等において小物入れをコンパクトに収納できる。
【００１０】
上記小物入れは、前記左側面シートの上端部、および、前記右側面シートの上端部に、それぞれ、半円形の欠け部が形成されていてもよい。
【００１１】
かかる構成でも、非磁性体からなる壁面に対しても、該壁面を汚すことなく、容易に脱着できる、小物入れを提供できる。また、収納部が平面視において矩形であるため、レシートやクーポン券などを効率的に収納できる。さらに、副収納部を備えることにより、レシートなどをさらに効率的に収納できる。収納部および副収納部の主面は、透明なプラスチックシートで構成されているため、中身を容易に視認できる。収納部は、ある程度の厚みと柔軟性があるため、レシート、公共料金の領収書、クーポン券、はがき、鷹の爪、胡麻、鰹節などの袋入り調味料、持ち帰り寿司に付属するパック入りのショウガ、たれびん入りの醤油、お吸い物やお茶漬け、ティーバッグ、自転車の鍵、付箋、メモ帳などを効率的に収納できる。収納部を折り目に沿って折り畳むことで、運搬時等において小物入れをコンパクトに収納できる。さらに、半円形の欠け部により、収納部へ物品を格納した場合に収納部が伸長しやすくなり、引っ張り力に対する収納部の強度が向上する。
【００１２】
上記小物入れは、さらに、前記主面シートの外側面に副収納部を備え、前記副収納部は、前記主面シートよりも上下幅の小さい帯状の透明なプラスチックからなる副主面シートを備え、前記副主面シートの左側端部と下側端部と右側端部とが前記主面シートと接続されていてもよい。
【００１３】
かかる構成でも、非磁性体からなる壁面に対しても、該壁面を汚すことなく、容易に脱着できる、小物入れを提供できる。また、収納部が平面視において矩形であるため、レシートやクーポン券などを効率的に収納できる。さらに、副収納部を備えることにより、レシートなどをさらに効率的に収納できる。収納部および副収納部の主面は、透明なプラスチックシートで構成されているため、中身を容易に視認できる。収納部は、ある程度の厚みと柔軟性があるため、レシート、公共料金の領収書、クーポン券、はがき、鷹の爪、胡麻、鰹節などの袋入り調味料、持ち帰り寿司に付属するパック入りのショウガ、たれびん入りの醤油、お吸い物やお茶漬け、ティーバッグ、自転車の鍵、付箋、メモ帳などを効率的に収納できる。収納部を折り目に沿って折り畳むことで、運搬時等において小物入れをコンパクトに収納できる。
【００１４】
本考案の上記目的、他の目的、特徴、及び利点は、添付図面参照の下、以下の好適な実施態様の詳細な説明から明らかにされる。
【考案の効果】
【００１５】
本考案は、上記のような構成を有し、以下のような効果を奏する。すなわち、非磁性体からなる壁面に対しても、該壁面を汚すことなく、容易に脱着できる、小物入れを提供できる。
【図面の簡単な説明】
【００１６】
【図１】図１は、第１実施形態に係る小物入れの概略構成を示す側面図である。
【図２】図２は、第１実施形態に係る小物入れの概略構成を示す斜視図である。
【考案を実施するための形態】
【００１７】
以下、本考案の実施の形態を、図面を参照しながら説明する。
【００１８】
（第１実施形態）
第１実施形態にかかる小物入れは、吸着面が形成された後面部と、後面部と反対の方向を向き収納部を有する前面部と、を備える小物入れであって、吸着面は、吸着性アクリル樹脂からなることにより平滑面に脱着可能となっている。
【００１９】
第１実施例にかかる小物入れは、第１主面と、第１主面と反対の方向を向く第２主面と、を有する矩形のシート部材と、第２主面上に形成された収納部と、を備え、第１主面に吸着面が形成され、吸着面は、吸着性アクリル樹脂からなることにより平滑面に脱着可能となっており、収納部は、上方が解放された扁平な略直方体形状の収納空間を構成し、扁平な略直方体形状の厚さは５ミリメートル以上３センチメートル以下であり、収納部は、収納空間の後面側が矩形のシート部材の全部または一部により区画され、収納空間の左側面側がプラスチックからなる柔軟な帯状の左側面シートにより区画され、収納空間の底面側がプラスチックからなる柔軟な帯状の底面シートにより区画され、収納空間の右側面側がプラスチックからなる柔軟な帯状の右側面シートにより区画され、収納空間の前面側が透明なプラスチックからなる柔軟な矩形の主面シートにより区画され、帯状の左側面シートと帯状の右側面シートと帯状の底面シートとは、それぞれ、長手方向に沿って延びる折り目を有し、折り目に沿って折り畳まれることにより主面シートがシート部材に近接し、折り目に沿って伸ばされることにより主面シートとシート部材とが離間して小物を収納可能となる、ように構成されていてもよい。
【００２０】
上記小物入れは、左側面シートの上端部、および、右側面シートの上端部に、それぞれ、半円形の欠け部が形成されていてもよい。
【００２１】
上記小物入れは、さらに、主面シートの外側面に副収納部を備え、副収納部は、主面シートよりも上下幅の小さい帯状の透明なプラスチックからなる副主面シートを備え、副主面シートの左側端部と下側端部と右側端部とが主面シートと接続されていてもよい。
【００２２】
図１は、第１実施形態に係る小物入れの概略構成を示す側面図である。図２は、第１実施形態に係る小物入れの概略構成を示す斜視図である。以下、図１および図２を参照しつつ、第１実施形態に係る小物入れの構成について説明する。
【００２３】
図１に示すように、第１実施形態の小物入れ１００は、後面部４と、前面部８と、を備えている。
【００２４】
後面部４には、吸着面２が形成されている。吸着面２は、後面部４の全体に形成されていてもよいし、後面部４の一部に形成されていてもよい。図１に示す例では、吸着面２は、後面部４のほぼ全体に形成されている。
【００２５】
前面部８は、後面部４と反対の方向を向く。前面部８は、収納部６を備える。収納部６は、前面部６の全体に形成されていてもよいし、前面部６の一部に形成されていてもよい。図１に示す例では、収納部６は、前面部の一部に形成されている。
【００２６】
吸着面２は、吸着性アクリル樹脂からなることにより平滑面に脱着可能となっている。吸着面２は、いわゆる弱粘着面とすることができる。吸着面２は、いわゆる再剥離性のある弱粘着面としてもよい。吸着性アクリル樹脂の表面は接着剤を有しない。このため、被着体に対し汚染がほとんどない。吸着性アクリル樹脂の表面は、水洗いすることによりゴミや汚れを落とすことで、吸着力を容易に回復させることができる。
【００２７】
吸着性アクリル樹脂は、具体的には例えば、吸着性を有するアクリルフォームとすることができる。該アクリルフォームの表面は、独立した微細な凹凸（微細な吸盤構造）を有する。このため、前面部８の側から加圧されると、アクリルフォーム表面（弱粘着面）と平滑面とが密着し、両者の間から空気が追い出される。その結果、高い強度で小物入れ１００が平滑面上に吸着保持される。一方で、アクリルフォームの端部からはがしてアクリルフォーム表面と平滑面との間に空気を入れることで、小物入れ１００を容易に平滑面からはがすことができる。
【００２８】  吸着性アクリル樹脂からなる吸着面２としては、例えば、（公序良俗違反につき、不掲載）の吸着面等を使用することができる。ここでいうディファレンシャル両面接着テープは、一方の主面（吸着面）に吸着性アクリル樹脂からなる層（アクリルフォーム）を備え、他方の主面（強粘着面）にアクリル系粘着剤からなる層を備えたシートとしうる。
【００２９】
吸着性アクリル樹脂からなる吸着面２の保持力は、磁力によるものではないため、非磁性体からなる壁面にも小物入れ１００を取り付けることができる。
【００３０】
平滑面とは、例えば、冷蔵庫（扉を含む）の外壁面、食器棚（扉を含む）の外壁面および内壁面、靴箱（扉を含む）の外壁面および内壁面、風呂場および洗面所の壁面および鏡面、台所の壁面、玄関の扉などとしうる。平滑面は、吸着性アクリル樹脂による吸着力が、小物入れ１００を充分に保持できる強度となる程度に平滑であればよい。
【００３１】
吸着面２が汚れると、保持力が低下する場合がある。この場合、販売時、運搬時等において、吸着面２を保護するために、吸着面２の上に保護シートが設けられていてもよい。保護シートは、例えば、ポリエチレンにより構成することができる。
【００３２】
図１に示すように、第１実施形態の小物入れ１００は、シート部材１０と、収納部６と、副収納部７と、を備えていてもよい。
【００３３】
シート部材１０は、矩形である。シート部材１０は、第１主面１２と、第１主面１２と反対の方向を向く第２主面１４と、を有する。第２主面１４の上には収納部６が形成されている。第１主面１２には吸着面２が形成されている。シート部材１０は、例えば、オレフィン樹脂（単層構造のシート）により構成することができる。例えば、オレフィン樹脂からなるシート部材１０に、上記ディファレンシャル両面接着テープのアクリル系接着剤面（強粘着面）を接着することで、第１主面１２の上に吸着面２を形成してもよい。シート部材１０の平面視における大きさは、例えば、縦１３センチメートル、横１８センチメートルとすることができる。
【００３４】
収納部６は、上方が解放された扁平な略直方体形状の収納空間を構成する。収納空間がなす、扁平な略直方体形状の厚さは、５ミリメートル以上３センチメートル以下である。より具体的には、例えば、扁平な略直方体形状の厚さを約１．５センチメートルとすることができる。扁平な略直方体形状の平面視における大きさは、例えば、縦１１センチメートル、横１６センチメートルとすることができる。
【００３５】
「上方が解放された」とは、収納空間の上部において物品の出し入れが可能であればよい。例えば、風呂場や洗面場等の水回りで使用されるタイプの小物入れでは、収納空間の上部を覆うカバーが取り付けられており、該カバーを持ち上げることで収納空間への物品の出し入れが可能に構成されていてもよく、「上方が解放された」とはかかる構成を含むものである。
【００３６】
収納空間の後面側は、矩形のシート部材１０の全部または一部により区画されている。
【００３７】
収納空間の左側面側は、プラスチックからなる柔軟な帯状の左側面シート１６により区画されている。左側面シート１６は、例えば、オレフィン樹脂（ＰＰ／ＥＶＡ／ＰＥの３層構造からなるフィルム）により構成することができる。左側面シート１６は、例えば、接着することによりシート部材１０の第２主面１４に固定されていてもよいし、熱融着することによりシート部材１０の第２主面１４に固定されていてもよい。
【００３８】
図２に示す例では、左側面シート１６がのりしろ３６を備え、のりしろ３６が熱融着（例えば、ウェルダー加工）によりシート部材１０の第２主面１４の左側端部に固定されている。のりしろ３６の大きさは、幅５ミリメートル、長さ１１センチメートルとすることができる。
【００３９】
図２に示す例では、左側面シート１６の上端部に半円形の欠け部４２が形成されている。半円形の欠け部４２により、収納部へ物品を格納した場合に収納部６が伸長しやすくなり、引っ張り力に対する収納部６の強度が向上する。ただし、欠け部４２は必須ではなく、省略されてもよい。
【００４０】
収納空間の底面側は、プラスチックからなる柔軟な帯状の底面シート１８により区画されている。底面シート１８は、例えば、オレフィン樹脂（ＰＰ／ＥＶＡ／ＰＥの３層構造からなるフィルム）により構成することができる。底面シート１８は、例えば、接着することによりシート部材１０の第２主面１４に固定されていてもよいし、熱融着することによりシート部材１０の第２主面１４に固定されていてもよい。
【００４１】
図２に示す例では、底面シート１８がのりしろ３８を備え、のりしろ３８が熱融着（例えば、ウェルダー加工）によりシート部材１０の第２主面１４の下端部に固定されている。のりしろ３８の大きさは、幅５ミリメートル、長さ１６センチメートルとすることができる。
【００４２】
収納空間の右側面側は、プラスチックからなる柔軟な帯状の右側面シート２０により区画されている。右側面シート２０は、例えば、オレフィン樹脂（ＰＰ／ＥＶＡ／ＰＥの３層構造からなるフィルム）により構成することができる。右側面シート２０は、例えば、接着することによりシート部材１０の第２主面１４に固定されていてもよいし、熱融着することによりシート部材１０の第２主面１４に固定されていてもよい。
【００４３】
図２に示す例では、右側面シート２０がのりしろ４０を備え、のりしろ４０が熱融着（例えば、ウェルダー加工）によりシート部材１０の第２主面１４の右側端部に固定されている。のりしろ４０の大きさは、幅５ミリメートル、長さ１１センチメートルとすることができる。
【００４４】
図２に示す例では、右側面シート２０の上端部に半円形の欠け部４４が形成されている。半円形の欠け部４４により、収納部へ物品を格納した場合に収納部６が伸長しやすくなり、引っ張り力に対する収納部６の強度が向上する。ただし、欠け部４４は必須ではなく、省略されてもよい。
【００４５】
収納空間の前面側は、透明なプラスチックからなる柔軟な矩形の主面シート２２により区画されている。主面シート２２は、例えば、オレフィン樹脂（ＰＰ／ＥＶＡ／ＰＥの３層構造からなるフィルム）により構成することができる。主面シート２２の大きさは、例えば、縦１１センチメートル、横１６センチメートルとすることができる。
【００４６】
左側面シート１６と、底面シート１８と、右側面シート２０と、主面シート２２とは、任意の組合せで一体に形成されていてもよい。
【００４７】
図２に示す例では、左側面シート１６の前側端部と主面シート２２の左側端部とが連続したシートにより形成され、底面シート１８の前側端部と主面シート２２の下側端部とが連続したシートにより形成され、右側面シート２０の前側端部と主面シート２２の右側端部とが連続したシートにより形成されることにより、左側面シート１６と、底面シート１８と、右側面シート２０と、主面シート２２とが一体に形成されている。
【００４８】
この場合、左側面シート１６の下側端部と底面シート１８の左側端部とは、例えば、一方が角部よりも長く延びるように形成した上で、延びた部分（のりしろ）を他方の内側に折り込む構成とすることができる。底面シート１８の右側端部と右側面シート２０の下側端部との間も、同様に例えば、一方が角部よりも長く延びるように形成した上で、延びた部分（のりしろ）を他方の内側に折り込む構成とすることができる。上記の場合において、のりしろ部分は、重なった相手方のシートに対し、接着剤（以下において、接着剤には両面テープも含まれる）により固定されてもよいし、熱融着により固定されてもよいし、固定されなくてもよい。
【００４９】
帯状の左側面シート１６は、長手方向に沿って延びる折り目１７を有する。帯状の底面シート１８は、長手方向に沿って延びる折り目１９を有する。帯状の右側面シート２０は、長手方向に沿って延びる折り目２１を有する。
【００５０】
収納部６は、折り目１７、１９、２１に沿って折り畳まれることにより主面シート２２がシート部材１０に近接する。小物入れ１００を運搬（例えば郵送）する際には、収納部６を折り畳むことにより、コンパクトに小物入れ１００を収納できる。収納部６は、折り目１７、１９、２１に沿って伸ばされることにより主面シート２２とシート部材１０とが離間して小物を収納可能となる。
【００５１】
さらに、収納部６を折り畳むことが可能であるため、小物入れを壁面に取り付ける際に、主面シート２２の上からシート部材１０を手で強く押さえつけることが容易となり、加圧されることで、吸着面２と平滑面とが密着し、吸着しやすくなる。
【００５２】
副収納部７は、主面シート２２の外側面に設けられている。副収納部７は、主面シート２２よりも上下幅の小さい帯状の透明なプラスチックからなる副主面シート２４を備えている。副主面シート２４の左側端部と下側端部と右側端部とは、主面シート２２と接続されている。副収納部７の大きさは、平面視において、例えば縦５センチメートル、横１６センチメートルとすることができる。
【００５３】
図２に示す例では、副主面シート２４の左側端部と主面シート２２の左側端部とが接続され、副主面シート２４の下端部と主面シート２２の下端部とが接続され、副主面シート２４の右側端部と主面シート２２の右側端部とが接続されている。接続手段は、例えば、接着剤でもよいし、熱融着でもよいし、当初より一体に形成されてもよい。
【００５４】
なお、副収納部７は必須ではなく、省略されてもよい。
【００５５】
小物入れ１００を取り付ける場合には、例えば、吸着面２を平滑面である壁面に当接させ、前面部８から手で強く壁面に押し付ける。これにより、吸着面２と平滑面とが密着し、両者の間から空気が追い出されることで、小物入れ１００は高い強度で平滑面上に保持される。
【００５６】
収納部６には、例えば、レシート、公共料金の領収書、クーポン券、はがき、鷹の爪、胡麻、鰹節などの袋入り調味料、持ち帰り寿司に付属するパック入りのショウガ、たれびん入りの醤油、最後の１個になって保管場所に悩むお吸い物やお茶漬け、ティーバッグ、自転車の鍵、付箋、メモ帳などを収納してもよい。
【００５７】
副収納部７には、比較的薄い物品、例えば、レシート、公共料金の領収書、クーポン券などを収納してもよい。
【００５８】
小物入れ１００は、吸着性アクリル樹脂からなることにより平滑面に脱着可能となっている吸着面２を備えるため、非磁性体からなる壁面に対しても、該壁面を汚すことなく、容易に脱着できる。
【００５９】
小物入れ１００はさらに、収納空間が、上方の解放された扁平な略直方体形状を有するため、収納部６が平面視において矩形となり、レシートやクーポン券などを効率的に収納できる。
【００６０】
小物入れ１００はさらに、副収納部７を備えることにより、レシートなどをさらに効率的に収納できる。
【００６１】
小物入れ１００はさらに、収納部６および副収納部７の主面が、透明なプラスチックシートで構成されているため、収納部６および副収納部７に収容された中身を容易に視認できる。
【００６２】
小物入れ１００はさらに、収納部６が、プラスチックからなる柔軟なシートで構成されており、収納空間がなす扁平な略直方体形状の厚さが５ミリメートル以上３センチメートル以下であることから、収納部６には、ある程度の厚みと柔軟性がある。よって、レシート、公共料金の領収書、クーポン券、はがき、鷹の爪、胡麻、鰹節などの袋入り調味料、持ち帰り寿司に付属するパック入りのショウガ、ミニボトル入りの醤油、お吸い物やお茶漬け、ティーバッグ、自転車の鍵、付箋、メモ帳などを効率的に収納できる。
【００６３】
小物入れ１００はさらに、収納部６を折り目１７、１９、２１に沿って折り畳むことで、運搬時等において小物入れ１００自体をコンパクトに収納できる。収納部６を折り畳むことが可能であるため、小物入れを壁面に取り付ける際に、主面シート２２の上からシート部材１０を手で強く押さえることが容易となり、加圧されることで、吸着面２と平滑面とが密着し、吸着しやすくなる。
【００６４】
小物入れ１００はさらに、左側面シート１６の上端部、および、右側面シート２０の上端部に、それぞれ、半円形の欠け部４２、４４が形成されている。半円形の欠け部４２、４４により、収納部へ物品を格納した場合に収納部６が伸長しやすくなり、引っ張り力に対する収納部６の強度が向上する。
【００６５】
なお、上記の構成はあくまで一例であり、小物入れの全体形状、材質、大きさ、色、製造方法、吸着面の形状、大きさ、製造方法、位置、収納部および副収納部の形状、材質、大きさ、色、位置、製造方法等は特に限定されない。
【００６６】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００６７】
本考案に係る小物入れは、非磁性体からなる壁面に対しても、該壁面を汚すことなく、容易に脱着できる、小物入れとして有用である。
【符号の説明】
【００６８】
２  吸着面
４  後面部
６  収納部
８  前面部
１０  シート部材
１２  第１主面
１４  第２主面
１６  左側面シート
１７  折り目
１８  底面シート
１９  折り目
２０  右側面シート
２１  折り目
２２  主面シート
２４  副主面シート
３６  のりしろ
３８  のりしろ
４０  のりしろ
４２  欠け部
４４  欠け部
【図１】
0003186725.tif 000003
【図２】
0003186725.tif 000004
【手続補正書】
【提出日】平成25年8月19日(2013.8.19)
【手続補正１】
【補正対象書類名】明細書
【補正対象項目名】００２８
【補正方法】変更
【補正の内容】
【００２８】
吸着性アクリル樹脂からなる吸着面２としては、例えば、ディファレンシャル両面接着テープの吸着面等を使用することができる。ここでいうディファレンシャル両面接着テープは、一方の主面（吸着面）に吸着性アクリル樹脂からなる層（アクリルフォーム）を備え、他方の主面（強粘着面）にアクリル系粘着剤からなる層を備えたシートとしうる。